(57)【要約】【課題】安全性が向上した照明器具を提供する。【解決手段】光源Ｌａを保持した灯体１と、灯体１を略垂直な面内で回転可能に支持する回転枠２３と、灯体１を囲む筒形状であって回転枠２３を水平面内で回転可能に支持する枠体２１とを備える。灯体１は、光源Ｌａが接続されるソケット１１と、ソケット１１を保持するソケット台１２と、光源Ｌａの発光部を囲むセード１３とを有する。ソケット台１２を、光源Ｌａやソケット１１へのケーブルＣの接触を阻止する形状とした。また、灯体１において高温になりやすいセード１３へのケーブルＣの接触を阻止する保護片２３ａ，２３ｂを、回転枠２３に設けた。光源Ｌａやソケット１１やセード１３へのケーブルＣの接触によるケーブルＣの被覆の溶融が防止され、安全性が向上する。【選択図】図１
2009230918.tif 000002
【特許請求の範囲】
【請求項１】
電気的な光源を保持する灯体と、
灯体を囲む環形状であって天井面に埋込配設される器具本体と、
器具本体に対して天井面に沿った面内で回転可能に支持されるとともに灯体を天井面に交差する面内で回転可能に支持する回転枠とを備え、
灯体は、光源が電気的且つ機械的に接続されるソケットと、器具本体の上側においてソケット及びソケットに接続された光源に対する外部のケーブルの接触を阻止する保護体と、光源の発光部を囲むセードとを有し、
回転枠には、器具本体よりも上方に突出し、灯体のセードに対する外部のケーブルの接触を阻止する保護片が設けられていることを特徴とする照明器具。
【発明の詳細な説明】
【技術分野】
【０００１】
本発明は、天井面に埋込配設される照明器具に関するものである。
【背景技術】
【０００２】
従来から、天井面に埋込配設される照明器具が提供されている（例えば、特許文献１参照）。
【０００３】
この種の照明器具として、図７に示す照明器具や、図８に示す照明器具のように、電気的な光源（図示せず）を保持する灯体１と、灯体１を支持して天井面（図示せず）に埋込配設される器体２と、器体２に保持され光源への給電用の給電線（図示せず）が接続される端子台３とを備える。灯体１は、光源の発光部を囲むセード１３を有する。
【０００４】
器体２は、灯体１を囲む環形状の枠体２１を有し、灯体１は、枠体２１に対し、天井面に交差する面内で回転可能に支持されるとともに、この回転軸の向きを天井面に沿った面内で回転可能とするように支持されている。
【０００５】
さらに、枠体２１は、軸方向を上下方向に向けた円筒形状であって灯体１を囲む本体部２１ａと、本体部２１ａの下端から本体部２１ａの径方向の外向きに突設された円環形状であって天井面に当接する鍔部２１ｂとを有する。また、枠体２１には、２本の係止ばね２４が、枠体２１に対して本体部２１ａの径方向であって互いに逆向きに突出するように連結されていて、器体２は、天井面を構成する天井材を枠体２１の鍔部２１ｂと係止ばね２４との間に挟むことにより、天井材に貫設された埋込穴（図示せず）に挿通される形で天井材に対して固定される。
【特許文献１】特開平１０−１９９３２６号公報
【発明の開示】
【発明が解決しようとする課題】
【０００６】
ここで、一般に、天井材の上側には、上記の給電線のような各種のケーブルが引き回されていることが多い。
【０００７】
また、光源や、灯体１において光源の発光部を囲むセード１３は高温となりやすい。
【０００８】
そして、上記のセード１３のような高温の部位に、図９に示すように上記のケーブルＣが接触すると、ケーブルＣの被覆の溶融が発生する可能性があり、安全上好ましくない。
【０００９】
本発明は、上記事由に鑑みて為されたものであり、その目的は、安全性が向上した照明器具を提供することにある。
【課題を解決するための手段】
【００１０】
本発明は、電気的な光源を保持する灯体と、灯体を囲む環形状であって天井面に埋込配設される器具本体と、器具本体に対して天井面に沿った面内で回転可能に支持されるとともに灯体を天井面に交差する面内で回転可能に支持する回転枠とを備え、灯体は、光源が電気的且つ機械的に接続されるソケットと、器具本体の上側においてソケット及びソケットに接続された光源に対する外部のケーブルの接触を阻止する保護体と、光源の発光部を囲むセードとを有し、回転枠には、器具本体よりも上方に突出し、灯体のセードに対する外部のケーブルの接触を阻止する保護片が設けられていることを特徴とする。
【発明の効果】
【００１１】
本発明によれば、天井材の上側に配設されるケーブルの、光源やソケットやセードといった高温部への接触が、灯体の保護体や回転枠の保護片によって阻止されるから、上記高温部への接触によるケーブルＣの被覆の溶融が防止される。従って、保護体や保護片を設けない場合に比べ、安全性が向上する。
【発明を実施するための最良の形態】
【００１２】
以下、本発明を実施するための最良の形態について、図面を参照しながら説明する。
【００１３】
本実施形態は、図２〜図４に示すように、電気的な光源Ｌａを保持した灯体１と、扁平な天井材（図示せず）で構成される天井面に埋込配設され灯体１を天井面に交差する面内で回転可能に軸支する器体２と、光源Ｌａへの給電用の給電線（図示せず）が電気的且つ機械的に接続される例えば速結端子のような周知の構造を有し器体２に保持された端子台３とを備える。光源Ｌａは具体的には赤外光を透過させ可視光を反射させるダイクロイックミラーが一体化されたハロゲン電球（いわゆるダイクール電球）であって、灯体１を器体２に対して回転させることで、光源Ｌａの光（可視光）の照射方向を変化させることができる。
【００１４】
灯体１は、光源Ｌａの口金が電気的且つ機械的に接続されるソケット１１と、ソケット１１が例えばねじ止めによって固定されたソケット台１２と、ソケット台１２に連結されて光源Ｌａの発光部を囲むセード１３とを備える。灯体１は、例えばセード１３において、器体２に対して天井面に交差する面内で回転可能に支持されている。また、ソケット１１は、図示しない電線を介して端子台３に電気的に接続され、この電線と端子台３とを介して給電線に電気的に接続される。このようなソケット１１は周知技術で実現可能であるので、詳細な説明及び図示は省略する。また、ソケット台１２とセード１３とは、それぞれ例えば金属板に打ち抜き加工や曲げ加工や絞り加工といった適宜の加工を施すことによって形成される。詳しく説明すると、ソケット台１２は、光源Ｌａに対して光の照射方向の反対側に位置する後壁１２ａと、それぞれ後壁１２ａの両端からそれぞれ曲げ起こしによって形成されて互いに対向する側壁１２ｂと、各側壁１２ｂにおいてそれぞれ曲げ起こしによって形成されて後壁１２ａに対向しソケット１１が固定された保持部１２ｃと、各側壁１２ｂにおいて後壁１２ａからの突出方向に交差する方向の端であって互いに同じ一方側の端からの曲げ起こしによって互いに近づく方向に突設された保護部１２ｄと、各側壁１２ｄにおいてそれぞれ後壁１２ａからの突出方向の先端からの曲げ起こしによって形成されて後壁１２ａに対向し例えばねじ止めによってセード１３に連結される連結部１２ｅとを有する。各保護部１２ｄはそれぞれ側壁１２ｂと鈍角をなすように傾斜しており、各保護部１２ｄの先端はそれぞれ側壁１２ｂの厚さ方向から見てソケット１１よりも上記一方側に突出している。
【００１５】
器体２は、灯体１を囲む環形状の枠体２１と、枠体２１の上端面に間に隙間を空けて対向する形で枠体２１に対して固定された保持枠２２と、一部が枠体２１と保持枠２２との間に挟まれることにより枠体２１に対して上下方向から見た面内で回転可能に支持されるとともに灯体１を軸支した回転枠２３と、それぞれ保持枠２２に対して固定されて天井材に係止される３個の係止ばね２４，２５と、保持枠２２に対して固定されて端子台３を保持した端子台保持板２６とを備える。器体２を構成する上記の各部品は、それぞれ例えば、金属板に打ち抜き・曲げ・絞り等の適宜の加工が施されてなる。なお、端子台３及び端子台保持板２６に関しては、それぞれ、図２以外では図示を省略している。
【００１６】
枠体２１は、軸方向を上下方向に向けた円筒形状であって灯体１を囲み天井材に上下に貫設された埋込穴（図示せず）に挿通される本体部２１ａと、本体部２１ａの下端部から径方向の外向きに突設された円環形状の鍔部２１ｂとを有する。枠体２１とともに請求項における枠部を構成する保持枠２２と回転枠２３とは、それぞれ下方から見て鍔部２１ｂの外周より径方向の外側には突出しない。
【００１７】
保持枠２２は、上方から見て枠体２１の本体部２１ａに重なる円環形状であって枠体２１との間に回転枠２３を挟む本体部２２ａと、それぞれ本体部２２ａの外周端から下方へ突設されて枠体２１の本体部２１ａの外側に位置する複数個の外側片２２ｂとを有する。保持枠２２は、例えば外側片２２ｂのうちの複数個がそれぞれ枠体２１の本体部２１ａにねじ止めされることによって枠体２１に対して固定される。枠体２１に対する回転枠２３の上下方向への変位は既に述べたように枠体２１と保持枠２２とによって制限され、枠体２１に対する回転枠２３の平行移動であって水平方向（枠体２１の下側の開口面に沿った方向）への平行移動は、外側片２２ｂによって制限される。
【００１８】
また、回転枠２３は、例えば灯体１のセード１３と回転枠２３とにリベットが軸方向を水平方向に向けて挿通されることにより、灯体１を略垂直な面内で所定の回転軸（例えば上記リベットの中心軸）周りに回転可能に支持している。器体２に対する灯体１の回転範囲は、図２及び図４に示すようにソケット台１２が器体２の上面に当接して光源Ｌａの光が直下に照射される垂直向きと、図３に示すように光源Ｌａの光が斜め下方に照射される斜め向きとの間となっている。さらに、回転枠２３を枠体２１に対して水平な面内で回転させることで、水平方向での灯体１の向きの変更が可能となっている。
【００１９】
さらに、端子台保持板２６は、例えば外側片２２ｂへのねじ止めによって保持枠２２に対して固定された固定部２６ａと、固定部２６ａの上端部から上方に突設され上方に向かって枠体２１の径方向の外側に傾斜した支持部２６ｂと、支持部２６ｂの上端から上方に突設され上方に向かって枠体２１の径方向の内側に傾斜して端子台３が固定された端子台保持部２６ｃと、端子台保持部２６ｃの上端から枠体２１の径方向の内側へ突設され厚さ方向を上下方向に向けた遮熱部２６ｄとを有する。端子台３は、端子台保持部２６ｃにおいて斜め上に向けられた面に例えばねじ止めによって固定されており、斜め上方向から給電線が導入される向きとなっている。遮熱部２６ｄは、上方から見て灯体１を略覆い、光源Ｌａから上方への輻射熱を遮るものである。また、支持部２６ｂと端子台保持部２６ｃとは、それぞれ下方から見て略全体が枠体２１の外周よりも径方向の外側に突出する。
【００２０】
また、３個の係止ばね２４，２５は、枠体２１の周方向に並べて略等間隔に設けられており、それぞれ、厚さ方向を枠体２１の径方向へ向けて保持枠２２の外側片２２ｂに固定された固定部２４ａ，２５ａと、固定部２４ａ，２５ａの下端から枠体２１の径方向の外側へ突設された支持部２４ｂ，２５ｂとを備え、固定部２４ａ，２５ａと支持部２４ｂ，２５ｂとがなす角を小さくするように弾性変形可能となっている。係止ばね２４，２５のうち、端子台保持板２６の固定部２６ａを挟む２個の係止ばね２４については、固定部２４ａには、厚さ方向への突出寸法を下方に向かって大きくするように傾斜する形で曲げ起こされた係止片２４ｃが設けられている。これらの係止ばね２４が固定される外側片２２ｂにはそれぞれ上記の固定部２４ａが挿通される挿通部２２ｃがルーバ加工により設けられていて、上記２個の係止ばね２４の固定部２４ａはそれぞれ係止片２４ｃが挿通部２２ｃに係止されることで外側片２２ｂに対して固定されている。また、残り１個の係止ばね２５の固定部２５ａが固定される外側片２２ｂには引掛穴２２ｄが貫設されており、上記係止ばね２５は固定部２５ａが上記の引掛穴２２ｄに挿通されて引っ掛けられることで外側片２２ｂに対して固定されている。すなわち、器体２は、天井材に上下に貫設された埋込穴に枠体２１の本体部２１ａを挿通された状態で、各係止ばね２４，２５と枠体２１の鍔部２１ｂとの間に天井材を挟むことで、天井材に対して固定される。さらに、端子台保持板２６の固定部２６ａを挟む上記２個の係止ばね２４において、それぞれ支持部２４ｂの先端には、埋込配設の過程における仮保持状態で天井材に係止される仮保持凸部２４ｄが下方に突設されている。
【００２１】
さらに、回転枠２３において、上方から見て灯体１の回転軸を挟む両側には、それぞれ２個ずつの保護片２３ａ，２３ｂが上方へ突設されている。各保護片２３ａ，２３ｂは、それぞれ上方へ向かって枠体２１の径方向の内向きに傾斜している。また、ソケット台１２において、各保護部１２ｄは、それぞれ、灯体１が上記のように斜め向きとなったときに斜め下方に向けられる側に設けられている。さらに、各側壁１２ｂは、図１に示すように、厚さ方向から見てソケット１１よりも保護部１２ｄの反対側へ突出する形状となっている。ここで、灯体１のソケット１１やセード１３や光源Ｌａは高温となりやすいが、保持枠２２の上側において、天井材の上側に配設される各種のケーブルと光源Ｌａやソケット１１との接触は灯体１のソケット台１２によって防止され、上記各種のケーブルと灯体１のセード１３との接触は各保護片２３ａ，２３ｂによって防止される。すなわち、ソケット台１２が請求項における保護体である。なお、上記の各保護片２３ａ，２３ｂと灯体１の各部とは、灯体１が回転枠２３に対して回転したときに互いに接触しないような形状及び配置となっており、例えば各保護片２３ａ，２３ｂとセード１３との間には、少なくとも３ｍｍ〜５ｍｍの隙間が維持される。また、灯体１の上端部が倒れこむ側（図１の左側）の２個の保護片２３ｂは、光源Ｌａに当ることがないように、反対側（図１の右側）の２個の保護片２３ａよりも、間隔を大きくされている。
【００２２】
上記構成によれば、高温となる光源Ｌａやソケット１１やセード１３へのケーブルＣの接触が防止され、安全性が向上する。特に、小型化のためにセード１３と光源Ｌａとの間の隙間が小さくされているような場合や、本実施形態のように光源Ｌａがダイクール電球である場合には、セード１３が高温になりやすいので、本実施形態のような保護片２３ａ，２３ｂを設けることが有効である。
【００２３】
また、保護片２３ａ，２３ｂが水平面内での回転について灯体１に連動する回転枠２３に設けられているので、保護片２３ａ，２３ｂを保持枠２２や枠体２１に設ける場合と違い、水平面内での灯体１の回転によって保護片２３ａ，２３ｂが邪魔になるようなことがない。
【図面の簡単な説明】
【００２４】
【図１】本発明の実施形態の効果を示す説明図である。
【図２】同上を示す斜視図である。
【図３】同上を示す、端子台及び端子台保持板を省略した斜視図である。
【図４】同上を示す、端子台及び端子台保持板を省略した斜視図であって、図３とは灯体の向き及び視点が異なる斜視図である。
【図５】同上の保護片による効果を示す斜視図である。
【図６】同上のソケット台の形状による効果を示す斜視図である。
【図７】従来例を示す斜視図である。
【図８】別の従来例を示す斜視図である。
【図９】従来例の課題を示す斜視図である。
【符号の説明】
【００２５】
１  灯体
１１  ソケット
１２  ソケット台（請求項における保護体）
１３  セード
２１  枠体
２２  保持枠（枠体とともに請求項における器具本体）
２３  回転枠
Ｌａ  光源
【図１】
2009230918.tif 000003
【図２】
2009230918.tif 000004
【図３】
2009230918.tif 000005
【図４】
2009230918.tif 000006
【図５】
2009230918.tif 000007
【図６】
2009230918.tif 000008
【図７】
2009230918.tif 000009
【図８】
2009230918.tif 000010
【図９】
2009230918.tif 000011